(57)【要約】【課題】  複数の番組が記録されている記録媒体に対して、それぞれの番組にメニュー画像を作成し、作成したメニュー画像を記録媒体に記録するときに、この処理に要する時間の短縮を図り、ユーザの使い勝手を向上させる。【解決手段】  光ディスク装置１は、ＤＶＤやＶ−ＶＩＤＥＯ−ＣＤ（Ｖ−ＣＤ）等の記録媒体に記録されている番組に対するメニュー画像を作成し、このメニュー画像を記録媒体に記録するとき、エンコード／デコード部４によりデコードされた背景画像を背景画像一時記憶領域６ａに記憶する。そして、２番組目以降のメニュー画像の作成においては、背景画像一時記憶領域６ａに記憶している、すでにデコードされている背景画像を読み出し、この背景画像に対して該当番組の録画日時を表す文字や、サムネイル画像等を背景画像に重ね合わせたメニュー画像を作成する。【選択図】  図１
2006254268.tif 000002
【特許請求の範囲】
【請求項１】
エンコードされた背景画像を記憶する背景画像記憶手段と、
前記背景画像記憶手段から読み出した背景画像をデコードするデコード手段と、
本体にセットされている記録媒体に記録されている番組毎に、前記デコード手段がデコードした背景画像を用いたメニュー画像を作成するメニュー画像作成手段と、
前記メニュー画像作成手段が作成したメニュー画像を、本体にセットされている記録媒体に記録するメニュー画像記録手段と、を備えた記録／再生装置において。
前記デコード手段がデコードした背景画像を一時的に記憶する背景画像一時記憶手段と、
前記メニュー画像作成手段が作成する前記メニュー画像が１番組であるか、複数番組であるかを判定する判定手段と、
前記判定手段が、前記メニュー画像作成手段が作成する前記メニュー画像が１番組であると判定したとき、前記背景画像一時記憶手段に対して、デコードされた前記背景画像の記憶を禁止する禁止手段と、
前記メニュー画像記録手段により、本体にセットされている記録媒体への前記メニュー画像作成手段が前回作成したメニュー画像の記録が完了したかどうかを判定する記録完了判定手段と、を備え、
前記メニュー画像作成手段は、複数の番組について前記メニュー画像を作成するとき、２番組目以降のメニュー画像の作成では、前記一時記憶手段が記憶しているデコードされた背景画像を読み出して前記メニュー画像を作成する手段であり、
前記メニュー画像記録手段は、前記メニュー画像作成手段が前回作成したメニュー画像の記録媒体への記録が前記記録完了判定手段により完了したと判定された後に、今回作成したメニュー画像の記録媒体への記録を開始する手段である記録／再生装置。
【請求項２】
エンコードされた背景画像を記憶する背景画像記憶手段と、
前記背景画像記憶手段から読み出した背景画像をデコードするデコード手段と、
本体にセットされている記録媒体に記録されている番組毎に、前記デコード手段がデコードした背景画像を用いたメニュー画像を作成するメニュー画像作成手段と、
前記メニュー画像作成手段が作成したメニュー画像を、本体にセットされている記録媒体に記録するメニュー画像記録手段と、を備えた記録／再生装置において。
前記デコード手段がデコードした背景画像を一時的に記憶する背景画像一時記憶手段を備え、
前記メニュー画像作成手段は、複数の番組について前記メニュー画像を作成するとき、２番組目以降のメニュー画像の作成では、前記一時記憶手段が記憶しているデコードされた背景画像を読み出して前記メニュー画像を作成する手段である記録／再生装置。
【請求項３】
前記メニュー画像作成手段が作成する前記メニュー画像が１番組であるか、複数番組であるかを判定する判定手段と、
前記判定手段が、前記メニュー画像作成手段が作成する前記メニュー画像が１番組であると判定したとき、前記背景画像一時記憶手段に対して、デコードされた前記背景画像の記憶を禁止する禁止手段と、を備えた請求項２に記載の記録／再生装置。
【請求項４】
前記メニュー画像記録手段により、本体にセットされている記録媒体への前記メニュー画像作成手段が前回作成したメニュー画像の記録が完了したかどうかを判定する記録完了判定手段を備え、
前記メニュー画像記録手段は、前記メニュー画像作成手段が前回作成したメニュー画像の記録媒体への記録が前記記録完了判定手段により完了したと判定された後に、今回作成したメニュー画像の記録媒体への記録を開始する手段である請求項２または３に記載の記録／再生装置。
【発明の詳細な説明】
【技術分野】
【０００１】
この発明は、ＤＶＤやＶＩＤＥＯ−ＣＤ等の記憶媒体に記録されている番組等のメニュー画像を作成し、このメニュー画像を録媒体に記録する再生装置に関する。
【背景技術】
【０００２】
従来、番組をＤＶＤやＶＩＤＥＯ−ＣＤ（Ｖ−ＣＤ）等の記録媒体に記録したり、記録媒体に記録されている番組を再生する記録／再生装置が一般に普及している。従来の記録／再生装置には、記録媒体に記録されている各番組の内容をユーザが簡単に確認できるように、その記録媒体に記録されている番組毎にメニュー画面を作成し、番組毎に作成したメニュー画面を記録媒体の所定の記録領域に記録するメニュー作成／記録にかかる機能が設けられている。ユーザは、記録媒体に記録されているメニュー画像を再生することにより、この記録媒体に記録されている番組の確認が行える。したがって、記録媒体に記録されている所望の番組を簡単に再生することができる。
【０００３】
従来の、記録／再生装置は、記録媒体に記録されている番組の録画日時を表す文字や、サムネイル画像等を背景画像に重ね合わせたメニュー画像を作成し、記録媒体に記録している（例えば、特許文献１参照）。また、従来の装置は、メニュー画像を作成するときに用いる背景画像を記憶しており、この背景画像に対しての録画日時を表す文字や、サムネイル画像等を重ねる背景画像を装置本体に記憶している（例えば、特許文献２参照）。
【特許文献１】特開２００１−１８４８３９号公報
【特許文献２】特開平９−６２４７２号公報
【発明の開示】
【発明が解決しようとする課題】
【０００４】
しかしながら、従来の記録／再生装置は、記録媒体に記録されている複数の番組について、それぞれメニュー画像を作成し、作成したメニュー画像を記録媒体に記録する処理を行うとき、特許文献２等に開示されているように、記憶している背景画像を番組毎に読み出していた。また、一般的な記録／再生装置では、背景画像の記憶容量を抑えるために、エンコードされた背景画像を記憶している。このため、記録媒体に記録されている複数の番組について、それぞれメニュー画像を作成し、作成したメニュー画像を記録媒体に記録する処理では、番組毎に
１、エンコードされている背景画像を読み出す処理、
２、背景画像をデコードする処理、
３、該当番組の録画日時を表す文字や、サムネイル画像等を背景画像に重ね合わせたメニュー画像を作成する処理、
４、作成したメニュー画像を記録媒体に記録する処理
を、メニュー画像を記録媒体に記録する番組毎に行っていた。このため、複数の番組が記録されている記録媒体に対して、メニュー画像をそれぞれの番組について作成し、作成したメニュー画像を記録媒体に記録する処理に要する時間が長く、ユーザの使い勝手が良くないという問題があった。
【０００５】
この発明の目的は、複数の番組が記録されている記録媒体に対して、それぞれの番組にメニュー画像を作成し、作成したメニュー画像を記録媒体に記録する処理に要する時間の短縮を図り、ユーザの使い勝手を向上させた記録／再生装置を提供することにある。
【課題を解決するための手段】
【０００６】
この発明の記録／再生装置は、上記課題を解決するために以下の構成を備えている。
【０００７】
（１）エンコードされた背景画像を記憶する背景画像記憶手段と、
前記背景画像記憶手段から読み出した背景画像をデコードするデコード手段と、
本体にセットされている記録媒体に記録されている番組毎に、前記デコード手段がデコードした背景画像を用いたメニュー画像を作成するメニュー画像作成手段と、
前記メニュー画像作成手段が作成したメニュー画像を、本体にセットされている記録媒体に記録するメニュー画像記録手段と、を備えた記録／再生装置において。
【０００８】
前記デコード手段がデコードした背景画像を一時的に記憶する背景画像一時記憶手段を備え、
前記メニュー画像作成手段は、複数の番組について前記メニュー画像を作成するとき、２番組目以降のメニュー画像の作成では、前記一時記憶手段が記憶しているデコードされた背景画像を読み出して前記メニュー画像を作成する手段である。
【０００９】
この構成では、ＤＶＤやＶ−ＶＩＤＥＯ−ＣＤ（Ｖ−ＣＤ）等の記録媒体に記録されている番組に対するメニュー画像を作成し、このメニュー画像を記録媒体に記録するとき、デコード手段によりデコードされた背景画像が背景画像一時記憶手段に記憶される。また、メニュー画像作成手段が、２番組目以降のメニュー画像の作成においては、背景画像一時記憶手段に記憶されている、すでにデコードされている背景画像を読み出し、この背景画像に対して該当番組の録画日時を表す文字や、サムネイル画像等を背景画像に重ね合わせたメニュー画像を作成する。そして、メニュー画像記録手段が、作成されたメニュー画像を記録媒体に記録する。
【００１０】
このように、背景画像一時記憶手段を設け、ここにデコードされた背景画像を一時的に記憶し、２番組目以降のメニュー画像の作成に利用するようにしたので、装置本体に必要な記憶容量を増加させることなく、２番組目以降のメニュー画像の作成においては背景画像に対するデコード処理を不要にすることができる。これにより、複数の番組が記録されている記録媒体に対して、それぞれの番組にメニュー画像を作成し、作成したメニュー画像を記録媒体に記録する処理に要する時間の短縮が図れ、ユーザの使い勝手を向上させることができる。
【００１１】
（２）前記メニュー画像作成手段が作成する前記メニュー画像が１番組であるか、複数番組であるかを判定する判定手段と、
前記判定手段が、前記メニュー画像作成手段が作成する前記メニュー画像が１番組であると判定したとき、前記背景画像一時記憶手段に対して、デコードされた前記背景画像の記憶を禁止する禁止手段と、を備えている。
【００１２】
この構成では、作成する前記メニュー画像が１番組であるときには、デコードされた背景画像を一時記憶手段に記憶させるという無駄な処理が行われないので、作成する前記メニュー画像が１番組であるときにおける処理時間が長くなるという問題も生じない。
【００１３】
（３）前記メニュー画像記録手段により、本体にセットされている記録媒体への前記メニュー画像作成手段が前回作成したメニュー画像の記録が完了したかどうかを判定する記録完了判定手段を備え、
前記メニュー画像記録手段は、前記メニュー画像作成手段が前回作成したメニュー画像の記録媒体への記録が前記記録完了判定手段により完了したと判定された後に、今回作成したメニュー画像の記録媒体への記録を開始する手段である。
【００１４】
この構成では、記録媒体への前回作成したメニュー画像の記録が完了してから、次の番組のメニュー画像の記録を開始するので、記録媒体に記録されるまえに作成されたメニュー画像が消失するという事態も生じない。
【発明の効果】
【００１５】
この発明によれば、装置本体に必要な記憶容量を増加させることなく、２番組目以降のメニュー画像の作成においては背景画像に対するデコード処理を不要にすることができる。これにより、複数の番組が記録されている記録媒体に対して、それぞれの番組にメニュー画像を作成し、作成したメニュー画像を記録媒体に記録する処理に要する時間の短縮が図れ、ユーザの使い勝手を向上させることができる。
【発明を実施するための最良の形態】
【００１６】
以下、この発明の実施形態である光ディスク装置について説明する。
【００１７】
図１は、この発明の実施形態である光ディスク装置の主要部の構成を示すブロック図である。この実施形態の光ディスク装置１は、本体の動作を制御する制御部２と、本体にセットされているＤＶＤやＶＩＤＥＯ−ＣＤ（Ｖ−ＣＤ）等の光ディスク１０に対するデータの記録や、記録されているデータの読み取りを行う記録／読取部３と、記録／読取部３が光ディスク１０に記録するデータをエンコードしたり、光ディスク１０から読み取ったデータをデコードするエンコード／デコード部４と、メニュー画像を作成するときに用いる背景画像を記憶する背景画像記憶部５と、光ディスク１０から読み取った映像に他の映像を重ね合わせた合成映像を作成するＯＳＤ処理部６と、を備えている。記録／読取部３は、公知のピックアップヘッドを有する構成であり、本体にセットされている光ディスク１０に対してレーザ光を照射して、データの記録や記録されているデータの読取を行う。記録／読取部３は、エンコード／デコード部４においてエンコードされた番組のデータを光ディスク１０に記録する。また、エンコード／デコード部４は、記録／読取部３が光ディスク１０から読み取ったデータをデコードする。背景画像記憶部５は、光ディスク１０に記録されている番組のメニュー画像を作成するときに用いる背景画像を記憶している。背景画像記憶部５が記憶する背景画像は、エンコードされている。ＯＳＤ処理部６は、背景画像記憶部５が記憶する背景画像の上に枠、この番組の記録日時を示す文字、この番組のサムネイル画像等を重ね合わせたメニュー画像を作成する。ＯＳＤ処理部６で作成されたメニュー画像は、エンコード／デコード部４でエンコードされ、記録／読取部３により光ディスク１０の所定の記録領域に記録される。
【００１８】
また、ＯＳＤ処理部６には、エンコード／デコード部４によりエンコードされた背景画像を一時的に記憶する背景画像一時記憶領域６ａが設けられている。この背景画像一時記憶領域６ａは、メニュー画像の作成の処理を行っているときには、使用されない領域であるが、メニュー画像の作成以外の処理を行っているときには、必要に応じて使用される領域である。言い換えれば、背景画像一時記憶領域６ａは、メニュー画像の作成時にエンコードされた背景画像を一時的に記憶するために特別に設けた構成ではなく、メニュー画像の作成時に使用しないＯＳＤ処理部６の記憶領域を背景画像一時記憶領域６ａとして使用している。このため、メニュー画像の作成以外の処理を行っているときには、背景画像以外のデータが背景画像一時記憶領域６ａに記憶されていることもある。
【００１９】
なお、光ディスク装置１は、テレビ放送されている番組を受信部（不図示）で受信し、この番組を光ディスク１０に記録する処理や、光ディスク１０から読み取ったデータに基づく映像信号や音声信号を表示装置へ出力し、該表示装置において映像や音声の出力を行わせる再生処理を実行することができる。
【００２０】
次に、この発明の実施形態である光ディスク装置１におけるメニュー画像作成処理について説明する。図２は、この発明の実施形態である光ディスク装置におけるメニュー画像作成処理を示すフローチャートである。光ディスク装置１は、図示していない操作部においてメニュー画像の作成指示にかかる入力操作が行われると、図２に示す処理を開始する。光ディスク装置１は、エンコード／デコード部４において背景画像記憶部５から背景画像を読み出し（ｓ１）、読み出した背景画像をデコードする（ｓ２）。光ディスク装置１は、ｓ２でデコードした背景画像を、メニュー画像作成領域に記憶する（ｓ３）。このメニュー画像作成領域は、背景画像の上に枠、この番組の記録日時やタイトルを示す文字、この番組のサムネイル画像等を重ね合わせたメニュー画像を作成するのに用いられる記憶領域である。
【００２１】
光ディスク装置１は、ｓ３で背景画像をメニュー画像作成領域に記憶すると、本体にセットされている光ディスク１０に記録されている番組、すなわち今回メニュー画像を作成する番組、が１つであるかどうかを判定する（ｓ４）。光ディスク装置１は、本体にセットされている光ディスク１０に記録されている番組数を検出することにより、ｓ４にかかる判定を行う。光ディスク装置１は、ｓ４で今回メニュー画像を作成する番組が１つではなく、複数であると判定すると、ｓ３でメニュー画像作成領域に記憶した背景画像を背景画像一時記憶領域６ａにコピーする（ｓ５）。これにより、ＯＳＤ処理部６のメニュー画像作成領域、および背景画像一時記憶領域６ａのそれぞれに、背景画像が記憶されることになる。一方、光ディスク装置１は、ｓ４で今回メニュー画像を作成する番組が１つであると判定すると、上述したｓ５にかかる処理を行うことなく、後述するｓ６以降の処理を実行する。
【００２２】
光ディスク装置１は、ＯＳＤ処理部６のメニュー画像作成領域に記憶している背景画像に対して、枠、この番組の記録日時やタイトルを示す文字、この番組のサムネイル画像等を重ね合わせたメニュー画像を作成する（ｓ６）。ｓ６では、枠、この番組の記録日時やタイトルを示す文字、この番組のサムネイル画像等を背景画像の上に重ねることで、メニュー画像を作成する。ｓ６にかかる処理で作成されるメニュー画像を図３に示す。図３（Ａ）は背景画像を示しており、図３（Ｂ）がｓ６で枠、この番組の記録日時やタイトルを示す文字、この番組のサムネイル画像等を重ね合わして作成されたメニュー画像である。
【００２３】
光ディスク装置１は、ｓ６でメニュー画像を作成すると、前回作成したメニュー画像の光ディスク１０への記録が完了しているかどうかを判定する（ｓ７）。光ディスク装置１は、ｓ７で前回作成したメニュー画像の光ディスク１０への記録が完了していないと判定すると、この前回作成したメニュー画像の光ディスク１０への記録が完了するのを待つ。光ディスク装置１は、ｓ７で前回作成したメニュー画像の光ディスク１０への記録が完了していると判定すると、今回作成したメニュー画像の光ディスク１０への記録を開始する（ｓ８）。このとき、光ディスク装置１は、ｓ６で生成したメニュー画像の画像データをエンコード／デコード部４に渡し、エンコード／デコード部４が渡されたメニュー画像の画像データをエンコードし、記録／読取部３がエンコードされたメニュー画像のデータを光ディスク１０に記録する。
【００２４】
光ディスク装置１は、ｓ７で前回作成したメニュー画像の光ディスク１０への記録が完了していると判定すると、メニュー画像の作成が完了したかどうかを判定する（ｓ９）。ｓ９では、メニュー画像が作成されていない番組の有無を判定しており、この時点でメニュー画像が作成されていない番組が光ディスク１０に記録されていれば、メニュー画像の作成が完了していないと判定する。光ディスク装置１は、ｓ９でメニュー画像の作成が完了していないと判定すると、ＯＳＤ処理部６のメニュー画像作成領域に記憶しているメニュー画像、すなわち前回作成したメニュー画像、を消去し（ｓ１０）、背景画像一時記憶領域６ａに記憶している背景画像をメニュー画像作成領域にコピーし（ｓ１１）、上述したｓ６以降の処理を行う。
【００２５】
このように、光ディスク装置１は、背景画像をＯＳＤ処理部６のメニュー画像作成領域に記憶できる。言い換えれば、２つ目以降の番組については、デコードすることなく背景画像をＯＳＤ処理部６のメニュー画像作成領域に記憶できる。したがって、２つ目以降の番組に対するメニュー画像作成において、背景画像記憶部５からエンコードされた背景画像のデータを読み出す処理や、背景画像記憶部５から読み出した背景画像のデータをデコードする処理を不要にできる。これにより、メニュー画像の作成／記録にかかる処理に要する時間の短縮が図れ、ユーザの使い勝手を向上させることができる。
【００２６】
また、メニュー画像の作成に使用しないＯＳＤ処理部６の記憶領域を背景画像一時記憶領域６ａとして使用しているので、ＯＳＤ処理部６に背景画像を一時的に記憶するための記憶領域を別途設ける必要もなく、装置本体のコストアップも十分に抑えられる。
【００２７】
また、今回メニュー画像を作成する番組が１つであると判定した場合には、デコードされた背景画像のデータを背景画像一時記憶領域６ａに記憶させない構成としているので、無用な処理の実行にともなう時間の無駄が十分に抑えられる。これにより、メニュー画像の作成／記録にかかる処理に要する時間の一層の短縮が図れ、ユーザの使い勝手を一層向上させることができる。
【００２８】
さらに、前回作成したメニュー画像を光ディスク１０に記録するのを完了してから、今回作成したメニュー画像を光ディスク１０に記録するのを開始する構成としているので、記録媒体に記録されるまえに作成されたメニュー画像が消失するという事態が生じることもなく、またメニュー画像を光ディスク１０に記録されている番組毎に適正に記録することができる。
【図面の簡単な説明】
【００２９】
【図１】この発明の実施形態である光ディスク装置の主要部の構成を示すブロック図である。
【図２】この発明の実施形態である光ディスク装置におけるメニュー画像作成処理を示すフローチャートである。
【図３】この発明の実施形態である光ディスク装置で作成されるメニュー画像を示す図である。
【符号の説明】
【００３０】
１−光ディスク装置
２−制御部
３−記録／読取部
４−エンコード／デコード部
５−背景画像記憶部
６−ＯＳＤ処理部
６ａ−一時記憶部
【図１】
2006254268.tif 000003
【図２】
2006254268.tif 000004
【図３】
2006254268.tif 000005